(57)【特許請求の範囲】
【請求項１】
内燃機関と電動機とを備える車両用駆動装置であって、
前記内燃機関から動力が出力される内燃機関出力軸と、
前記内燃機関出力軸に平行に配置され、第１断接手段によって選択的に前記内燃機関出力軸と結合される第１入力軸と、
前記内燃機関出力軸に平行に配置され、第２断接手段によって選択的に前記内燃機関出力軸に結合される第２入力軸と、
前記内燃機関出力軸と平行に配置され、被駆動部に動力を出力する出入力軸と、
前記第１入力軸上に配置され、第１同期装置を介して前記第１入力軸に選択的に連結される複数のギヤよりなる第１ギヤ群と、
前記第２入力軸上に配置され、第２同期装置を介して前記第２入力軸に選択的に連結される複数のギヤよりなる第２ギヤ群と、
前記出入力軸上に配置され、前記第１ギヤ郡のギヤと前記第２ギヤ群のギヤとが共有して噛合する複数のギヤよりなる第３ギヤ群と、を備え、
前記第１ギヤ群の高速側ギヤを選択してＥＶ走行中に車両を減速する場合に、前記電動機で回生しつつ前記第１ギヤ群の高速側ギヤから前記第１ギヤ群の低速側ギヤにシフトダウンする間、前記内燃機関を始動するとともに前記第２同期装置で前記第２ギヤ群のギヤを選択した状態で前記第２断接手段を締結することにより、エンジンブレーキを利用してシフトダウン時の制動力を確保することを特徴とする車両用駆動装置。
【請求項２】
減速要求を推定し、前記第１ギヤ群の高速側ギヤで回生中に前記第１ギヤ群の低速側ギヤへの減速要求があった場合、一旦、前記第２ギヤ群のギヤを選択した状態でエンジンブレーキを行い、前記第２ギヤ群のギヤにて走行中に前記第１ギヤ群の高速側ギヤから低速側ギヤにプレシフトすることを特徴とする請求項１に記載の車両用駆動装置。
【請求項３】
前記第１同期装置はシンクロクラッチであることを特徴とする請求項１又は２に記載の車両用駆動装置。
【請求項４】
前記第１ギヤ群の低速側ギヤを選択して回生することにより車速が回生不可速度まで下がったときには、回生を停止し、前記第１ギヤ群の低速側ギヤよりもさらに低速側の前記第１ギヤ群の低速側ギヤを選択することを特徴とする請求項１〜３のいずれか１項に記載の車両用駆動装置。
【発明の詳細な説明】
【技術分野】
【０００１】
本発明は、内燃機関と電動機とを備える車両用駆動装置に関する。
【背景技術】
【０００２】
従来から伝達効率の高い手動変速機の変速動作を自動化した変速装置をベースとして変速時のトルク中断によるショックを防止するため、２つの入力軸は歯車群を有し夫々クラッチを介してエンジンに連結可能とし、一方の入力軸をモータジェネレータで駆動可能としたツインクラッチ式変速機を備えたハイブリッド車両の車両用駆動装置が提案されている（特許文献１参照）。
【０００３】
この特許文献１の車両用駆動装置２００は、図１５に示すように、２つの入力軸２０１、２０２は夫々クラッチＣ１、Ｃ２を介してエンジンＥｎｇに連結されており、さらに入力軸２０２にモータジェネレータＭＧが連結されている。そして、入力軸２０２はドグクラッチ２０５を締結することで低速側ギヤ列２０６を介してカウンタ軸２０７に連結され、入力軸２０１はドグクラッチ２０８を締結することで高速側ギヤ列２０９を介してカウンタ軸２０７に連結されている。
【０００４】
モータジェネレータＭＧはカウンタ軸２０７による駆動力により被駆動されて回生による発電が可能であるとともに、クラッチＣ２が締結された際には、エンジンＥｎｇにより被駆動されることによっても発電が可能であることが開示されている。
【先行技術文献】
【特許文献】
【０００５】
【特許文献１】特開２００５−１４７３１２号公報
【発明の概要】
【発明が解決しようとする課題】
【０００６】
しかしながら、この車両用駆動装置２００においては、モータ走行中における制動力をどのように発生させるか何ら記載されていない。一般的にハイブリッド車両においては、車両の制動力を利用して効率よくモータで発電することが重要な課題となっている。
【０００７】
本発明は、上記した事情に鑑みてなされたもので、モータ走行中における制動力を利用して効率的に発電を行なうことが可能な車両用駆動装置を提供することを目的とする。
【課題を解決するための手段】
【０００８】
上記目的を達成するために、請求項１に記載の発明は、
内燃機関（例えば、後述の実施形態のエンジン６）と電動機（例えば、後述の実施形態のモータ７）とを備える車両用駆動装置（例えば、後述の実施形態の車両用駆動装置１、１Ａ）であって、
前記内燃機関から動力が出力される内燃機関出力軸（例えば、後述の実施形態のクランク軸６ａ）と、
前記内燃機関出力軸に平行に配置され、第１断接手段（例えば、後述の実施形態の第１クラッチ４１）によって選択的に前記内燃機関出力軸と結合される第１入力軸（例えば、後述の実施形態の第１主軸１１）と、
前記内燃機関出力軸に平行に配置され、第２断接手段（例えば、後述の実施形態の第２クラッチ４２）によって選択的に前記内燃機関出力軸に結合される第２入力軸（例えば、後述の実施形態の第２中間軸１６）と、
前記内燃機関出力軸と平行に配置され、被駆動部（例えば、後述の実施形態の駆動輪ＤＷ，ＤＷ）に動力を出力する出入力軸（例えば、後述の実施形態のカウンタ軸１４）と、
前記第１入力軸上に配置され、第１同期装置（例えば、後述の実施形態の第１変速用シフター５１、５１Ａ、第３変速用シフター５１Ｂ）を介して前記第１入力軸に選択的に連結される複数のギヤ（例えば、後述の実施形態の第３速用駆動ギヤ２３ａ、第５速用駆動ギヤ２５ａ、第７速用駆動ギヤ９７ａ、）よりなる第１ギヤ群と、
前記第２入力軸上に配置され、第２同期装置（例えば、後述の実施形態の第２変速用シフター５２、５２Ａ、第４変速用シフター５２Ｂ）を介して前記第２入力軸に選択的に連結される複数のギヤ（例えば、後述の実施形態の第２速用駆動ギヤ２２ａ、第４速用駆動ギヤ２４ａ、第６速用駆動ギヤ９６ａ）よりなる第２ギヤ群と、
前記出入力軸上に配置され、前記第１ギヤ郡のギヤと前記第２ギヤ群のギヤとが共有して噛合する複数のギヤ（例えば、後述の実施形態の第１共用従動ギヤ２３ｂ、第２共用従動ギヤ２４ｂ、第３共用従動ギヤ９６ｂ）よりなる第３ギヤ群と、を備え、
前記第１ギヤ群の高速側ギヤを選択してＥＶ走行中に車両を減速する場合に、前記電動機で回生しつつ前記第１ギヤ群の高速側ギヤから前記第１ギヤ群の低速側ギヤにシフトダウンする間、前記内燃機関を始動するとともに前記第２同期装置で前記第２ギヤ群のギヤを選択した状態で前記第２断接手段を締結することにより、エンジンブレーキを利用してシフトダウン時の制動力を確保することを特徴とする。
【０００９】
また、請求項２に記載の発明は、請求項１に記載の発明の構成に加えて、減速要求を推定し、前記第１ギヤ群の高速側ギヤで回生中に前記第１ギヤ群の低速側ギヤへの減速要求があった場合、一旦、前記第２ギヤ群のギヤを選択した状態でエンジンブレーキを行い、前記第２ギヤ群のギヤにて走行中に前記第１ギヤ群の高速側ギヤから低速側ギヤにプレシフトすることを特徴とする。
【００１０】
また、請求項３に記載の発明は、請求項１又は２に記載の発明の構成に加えて、前記第１同期装置はシンクロクラッチであることを特徴とする。
【００１１】
また、請求項４に記載の発明は、請求項１〜３のいずれか１項に記載の発明の構成に加えて、前記第１ギヤ群の低速側ギヤを選択して回生することにより車速が所定値（例えば、後述の実施形態の車速Ｖｆ）まで下がったときには、回生を停止し、前記第１ギヤ群の低速側ギヤよりもさらに低速側の前記第１ギヤ群の低速側ギヤを選択することを特徴とする。
【発明の効果】
【００１２】
請求項１の車両用駆動装置によれば、ＥＶ走行中において減速する場合、シフトダウン時における制動力をエンジンブレーキで補うことで、機械式ブレーキにより熱エネルギーとして放出していたエネルギーを回生エネルギーとして有効に利用することができる。また、車速に応じて減速するので、車両の再加速時にスムーズな加速を行うことができる。
【００１３】
請求項２の車両用駆動装置によれば、ＥＶ走行中において減速する場合、エンジンブレーキを利用しながらシフトダウンを行なうことで、エネルギーの利用効率を向上させることができる。
【００１４】
請求項３の車両用駆動装置によれば、シフトチェンジをスムーズに行うことができる。そして、シンクロクラッチを用いることによる回生トルク（制動力）の抜けをエンジンブレーキで補うことにより回生エネルギーとして有効に利用することができる。
【００１５】
請求項４の車両用駆動装置によれば、電動機の回生により車速が回生不可速度まで下がったときにはさらに低速側ギヤを選択して待機することで車両の再加速時又は発進時にスムーズな加速又は発進を行うことができる。
【図面の簡単な説明】
【００１６】
【図１】本発明の第１実施形態の車両用駆動装置を示す概略図である。
【図２】１ｓｔ  ＥＶモードにおける図であり、（ａ）は速度線図であり、（ｂ）は車両用駆動装置のトルクの伝達状況を示す図である。
【図３】３ｒｄ  ＥＶモードにおける図であり、（ａ）は速度線図であり、（ｂ）は車両用駆動装置のトルクの伝達状況を示す図である。
【図４】３ｒｄ  ＥＶモードの回生時における図であり、（ａ）は速度線図であり、（ｂ）は車両用駆動装置のトルクの伝達状況を示す図である。
【図５】５ｔｈ  ＥＶモードにおける図であり、（ａ）は速度線図であり、（ｂ）は車両用駆動装置のトルクの伝達状況を示す図である。
【図６】５ｔｈ  ＥＶモードの回生時における図であり、（ａ）は速度線図であり、（ｂ）は車両用駆動装置のトルクの伝達状況を示す図である。
【図７】車両の運転点と各ＥＶモードにおける回生可能領域の関係を示すグラフである。
【図８】ＥＶ走行中の車両の減速に応じてシフトダウンしたときの制動力と車速の関係を示すグラフである。
【図９】ＥＶ走行中の車両の減速に応じてシフトダウンしたときエンジンブレーキを用いた場合の制動力と車速の関係を示すグラフである。
【図１０】図９における制御フロー図である。
【図１１】５ｔｈ  ＥＶモードから３ｒｄ  ＥＶモードへのシフトダウン時にエンジンブレーキを利用した場合を示す図であり、（ａ）は速度線図であり、（ｂ）は車両用駆動装置のトルクの伝達状況を示す図である。
【図１２】（ａ）はブレーキシステムの一例を示す模式図であり、（ｂ）は車速とペダル踏力との関係を示すグラフ、（ｃ）は制動力分布を示すグラフである。
【図１３】（ａ）はブレーキシステムの他の例を示す模式図であり、（ｂ）は車速とペダル踏力との関係を示すグラフ、（ｃ）は制動力分布を示すグラフである。
【図１４】本発明の第２実施形態の車両用駆動装置を示す概略図である。
【図１５】特許文献１に記載の車両用駆動装置の概略図である。
【発明を実施するための形態】
【００１７】
以下、本発明の車両用駆動装置の各実施形態ついて図面を参照しながら説明する。
＜第１実施形態＞
第１実施形態の車両用駆動装置１は、図１に示すように、車両（図示せず）の駆動軸９，９を介して駆動輪ＤＷ，ＤＷ（被駆動部）を駆動するためのものであり、駆動源である内燃機関（以下「エンジン」という）６と、電動機（以下「モータ」という）７と、動力を駆動輪ＤＷ，ＤＷに伝達するための変速機２０と、変速機２０の一部を構成する差動式減速機としての遊星歯車機構３０と、を備えている。
【００１８】
エンジン６は、例えばガソリンエンジンであり、このエンジン６のクランク軸６ａには、変速機２０の第１クラッチ４１（第１断接手段）と第２クラッチ（第２断接手段）が設けられている。
【００１９】
モータ７は、３相ブラシレスＤＣモータであり３ｎ個の電機子７１ａで構成されたステータ７１と、このステータ７１に対向するように配置されたロータ７２とを有している。各電機子７１ａは、鉄芯７１ｂと、この鉄芯７１ｂに巻き回されたコイル７１ｃで構成されており、不図示のケーシングに固定され、回転軸を中心に周方向にほぼ等間隔で並んでいる。３ｎ個のコイル７１ｃは、ｎ組のＵ相、Ｖ相,Ｗ相の３相コイルを構成している。
【００２０】
ロータ７２は、回転軸を中心にほぼ等間隔で並んだｎ個の永久磁石７２ａを有しており、隣り合う各２つの永久磁石７２ａの極性は、互いに異なっている。各永久磁石７２ａを固定する固定部７２ｂは、軟磁性体（例えば鉄）で構成された中空円筒状を有し、後述する遊星歯車機構３０のリングギヤ３５の外周側に配置され、遊星歯車機構３０のサンギヤ３２に連結されている。これにより、ロータ７２は、遊星歯車機構３０のサンギヤ３２と一体に回転するように構成されている。
【００２１】
遊星歯車機構３０は、サンギヤ３２と、このサンギヤ３２と同軸上に配置され、かつ、このサンギヤ３２の周囲を取り囲むように配置されたリングギヤ３５と、サンギヤ３２とリングギヤ３５に噛合されたプラネタリギヤ３４と、このプラネタリギヤ３４を自転可能、かつ、公転可能に支持するキャリア３６とを有している。このようにして、サンギヤ３２とリングギヤ３５とキャリア３６が、相互に差動回転自在に構成されている。
【００２２】
リングギヤ３５には、同期機構（シンクロナイザー機構）を有しリングギヤ３５の回転を停止（ロック）可能に構成されたシンクロ機構６１（ロック機構）が設けられている。
【００２３】
変速機２０は、前述した第１クラッチ４１と第２クラッチ４２と、遊星歯車機構３０と、後述する複数の変速ギヤ群を備えた、いわゆるツインクラッチ式変速機である。
【００２４】
より具体的に、変速機２０は、エンジン６のクランク軸６ａと同軸（回転軸線Ａ１）上に配置された第１主軸１１（第１の入力軸）と、第２主軸１２と、連結軸１３と、回転軸線Ａ１と平行に配置された回転軸線Ｂ１を中心として回転自在なカウンタ軸１４（出入力軸）と、回転軸線Ａ１と平行に配置された回転軸線Ｃ１を中心として回転自在な第１中間軸１５と、回転軸線Ａ１と平行に配置された回転軸線Ｄ１を中心として回転自在な第２中間軸１６（第２の入力軸）と、回転軸線Ａ１と平行に配置された回転軸線Ｅ１を中心として回転自在なリバース軸１７を備えている。
【００２５】
第１主軸１１には、エンジン６側に第１クラッチ４１が設けられ、エンジン６側とは反対側に遊星歯車機構３０のサンギヤ３２とモータ７のロータ７２が取り付けられている。従って、第１主軸１１は、第１クラッチ４１によって選択的にエンジン６のクランク軸６ａと連結されるとともにモータ７と直結され、エンジン６及び/又はモータ７の動力がサンギヤ３２に伝達されるように構成されている。
【００２６】
第２主軸１２は、第１主軸１１より短く中空に構成されており、第１主軸１１のエンジン６側の周囲を覆うように相対回転自在に配置されている。また、第２主軸１２には、エンジン６側に第２クラッチ４２が設けられ、エンジン６側とは反対側にアイドル駆動ギヤ２７ａが一体に取り付けられている。従って、第２主軸１２は、第２クラッチ４２によって選択的にエンジン６のクランク軸６ａと連結され、エンジン６の動力がアイドル駆動ギヤ２７ａへ伝達されるように構成されている。
【００２７】
連結軸１３は、第１主軸１１より短く中空に構成されており、第１主軸１１のエンジン６側とは反対側の周囲を覆うように相対回転自在に配置されている。また、連結軸１３には、エンジン６側に第３速用駆動ギヤ２３ａが一体に取り付けられ、エンジン６側とは反対側に遊星歯車機構３０のキャリア３６が一体に取り付けられている。従って、プラネタリギヤ３４の公転により連結軸１３に取り付けられたキャリア３６と第３速用駆動ギヤ２３ａが一体に回転するように構成されている。
【００２８】
さらに、第１主軸１１には、連結軸１３に取り付けられた第３速用駆動ギヤ２３ａと第２主軸１２に取り付けられたアイドル駆動ギヤ２７ａとの間に、第１主軸１１と相対回転自在に第５速用駆動ギヤ２５ａが設けられるとともに第１主軸１１と一体に回転するリバース従動ギヤ２８ｂが取り付けられている。さらに第３速用駆動ギヤ２３ａと第５速用駆動ギヤ２５ａとの間には、第１主軸１１と第３速用駆動ギヤ２３ａ又は第５速用駆動ギヤ２５ａとを連結又は開放する第１変速用シフター５１が設けられている。そして、第１変速用シフター５１が第３速用接続位置でインギヤするときには、第１主軸１１と第３速用駆動ギヤ２３ａが連結して一体に回転し、第５速用接続位置でインギヤするときには、第１主軸１１と第５速用駆動ギヤ２５ａが一体に回転し、第１変速用シフター５１がニュートラル位置にあるときには、第１主軸１１は第３速用駆動ギヤ２３ａと第５速用駆動ギヤ２５ａに対し相対回転する。なお、第１主軸１１と第３速用駆動ギヤ２３ａが一体に回転するとき、第１主軸１１に取り付けられたサンギヤ３２と第３速用駆動ギヤ２３ａに連結軸１３で連結されたキャリア３６が一体に回転するとともに、リングギヤ３５も一体に回転し、遊星歯車機構３０が一体となる。
【００２９】
第１中間軸１５には、第２主軸１２に取り付けられたアイドル駆動ギヤ２７ａと噛合する第１アイドル従動ギヤ２７ｂが一体に取り付けられている。
【００３０】
第２中間軸１６には、第１中間軸１５に取り付けられた第１アイドル従動ギヤ２７ｂと噛合する第２アイドル従動ギヤ２７ｃが一体に取り付けられている。第２アイドル従動ギヤ２７ｃは、前述したアイドル駆動ギヤ２７ａと第１アイドル従動ギヤ２７ｂとともに第１アイドルギヤ列２７Ａを構成している。また、第２中間軸１６には、第１主軸１１周りに設けられた第３速用駆動ギヤ２３ａと第５速用駆動ギヤ２５ａと対応する位置にそれぞれ第２中間軸１６と相対回転可能な第２速用駆動ギヤ２２ａと第４速用駆動ギヤ２４ａとが設けられている。さらに第２中間軸１６には、第２速用駆動ギヤ２２ａと第４速用駆動ギヤ２４ａとの間に、第２中間軸１６と第２速用駆動ギヤ２２ａ又は第４速用駆動ギヤ２４ａとを連結又は開放する第２変速用シフター５２が設けられている。そして、第２変速用シフター５２が第２速用接続位置でインギヤするときには、第２中間軸１６と第２速用駆動ギヤ２２ａとが一体に回転し、第２変速用シフター５２が第４速用接続位置でインギヤするときには、第２中間軸１６と第４速用駆動ギヤ２４ａとが一体に回転し、第２変速用シフター５２がニュートラル位置にあるときには、第２中間軸１６は第２速用駆動ギヤ２２ａと第４速用駆動ギヤ２４ａに対し相対回転する。
【００３１】
カウンタ軸１４には、エンジン６側とは反対側から順に第１共用従動ギヤ２３ｂと、第２共用従動ギヤ２４ｂと、パーキングギヤ２１と、ファイナルギヤ２６ａとが一体に取り付けられている。
ここで、第１共用従動ギヤ２３ｂは、連結軸１３に取り付けられた第３速用駆動ギヤ２３ａと噛合して第３速用駆動ギヤ２３ａと共に第３速用ギヤ対２３を構成し、第２中間軸１６に設けられた第２速用駆動ギヤ２２ａと噛合して第２速用駆動ギヤ２２ａと共に第２速用ギヤ対２２を構成する。
第２共用従動ギヤ２４ｂは、第１主軸１１に設けられた第５速用駆動ギヤ２５ａと噛合して第５速用駆動ギヤ２５ａと共に第５速用ギヤ対２５を構成し、第２中間軸１６に設けられた第４速用駆動ギヤ２４ａと噛合して第４速用駆動ギヤ２４ａと共に第４速用ギヤ対２４を構成する。
ファイナルギヤ２６ａは差動ギヤ機構８と噛合して、差動ギヤ機構８は、駆動軸９，９を介して駆動輪ＤＷ，ＤＷに連結されている。従って、カウンタ軸１４に伝達された動力はファイナルギヤ２６ａから差動ギヤ機構８、駆動軸９，９、駆動輪ＤＷ，ＤＷへと出力される。
【００３２】
リバース軸１７には、第１中間軸１５に取り付けられた第１アイドル従動ギヤ２７ｂと噛合する第３アイドル従動ギヤ２７ｄが一体に取り付けられている。第３アイドル従動ギヤ２７ｄは、前述したアイドル駆動ギヤ２７ａと第１アイドル従動ギヤ２７ｂとともに第２アイドルギヤ列２７Ｂを構成している。また、リバース軸１７には、第１主軸１１に取り付けられた後進用従動ギヤ２８ｂと噛合する後進用駆動ギヤ２８ａがリバース軸１７と相対回転自在に設けられている。後進用駆動ギヤ２８ａは、後進用従動ギヤ２８ｂとともに後進用ギヤ列２８を構成している。さらに後進用駆動ギヤ２８ａのエンジン６側とは反対側にリバース軸１７と後進用駆動ギヤ２８ａとを連結又は開放する後進用シフター５３が設けられている。そして、後進用シフター５３が後進用接続位置でインギヤするときには、リバース軸１７と後進用駆動ギヤ２８ａとが一体に回転し、後進用シフター５３がニュートラル位置にあるときには、リバース軸１７と後進用駆動ギヤ２８ａとが相対回転する。
【００３３】
なお、第１変速用シフター５１、第２変速用シフター５２、後進用シフター５３は、接続する軸とギヤの回転数を一致させる同期機構（シンクロナイザー機構）を有するクラッチ機構を用いている。
【００３４】
このように構成された変速機２０は、２つの変速軸の一方の変速軸である第１主軸１１上に第３速用駆動ギヤ２３ａと第５速用駆動ギヤ２５ａからなる奇数段ギヤ群（第１ギヤ群）が設けられ、２つの変速軸の他方の変速軸である第２中間軸１６上に第２速用駆動ギヤ２２ａと第４速用駆動ギヤ２４ａからなる偶数段ギヤ群（第２ギヤ群）が設けられる。
【００３５】
以上の構成により、本実施形態の車両用駆動装置１は、以下の第１〜第５の伝達経路を有している。
（１）第１伝達経路は、エンジン６のクランク軸６ａが、第１主軸１１、遊星歯車機構３０、連結軸１３、第３速用ギヤ対２３（第３速用駆動ギヤ２３ａ、第１共用従動ギヤ２３ｂ）、カウンタ軸１４、ファイナルギヤ２６ａ、差動ギヤ機構８、駆動軸９，９を介して、駆動輪ＤＷ，ＤＷに連結される伝達経路である。ここで、遊星歯車機構３０の減速比は、第１伝達経路を介して伝達されるエンジントルクが第１速相当となるように設定されている。即ち、遊星歯車機構３０の減速比と第３速用ギヤ対２３の減速比をかけ合わせた減速比が第１速相当となるように設定されている。
（２）第２伝達経路は、エンジン６のクランク軸６ａが、第２主軸１２、第１アイドルギヤ列２７Ａ（アイドル駆動ギヤ２７ａ、第１アイドル従動ギヤ２７ｂ、第２アイドル従動ギヤ２７ｃ）、第２中間軸１６、第２速用ギヤ対２２（第２速用駆動ギヤ２２ａ、第１共用従動ギヤ２３ｂ）又は第４速用ギヤ対２４（第４速用駆動ギヤ２４ａ、第２共用従動ギヤ２４ｂ）、カウンタ軸１４、ファイナルギヤ２６ａ、差動ギヤ機構８、駆動軸９，９を介して、駆動輪ＤＷ，ＤＷに連結される伝達経路である。
（３）第３伝達経路は、エンジン６のクランク軸６ａが、第１主軸１１、第３速用ギヤ対２３（第３速用駆動ギヤ２３ａ、第１共用従動ギヤ２３ｂ）又は第５速用ギヤ対２５（第５速用駆動ギヤ２５ａ、第２共用従動ギヤ２４ｂ）、カウンタ軸１４、ファイナルギヤ２６ａ、差動ギヤ機構８、駆動軸９，９を介して、遊星歯車機構３０を介さずに、駆動輪ＤＷ，ＤＷに連結される伝達経路である。
（４）第４伝達経路は、モータ７が、遊星歯車機構３０又は第３速用ギヤ対２３（第３速用駆動ギヤ２３ａ、第１共用従動ギヤ２３ｂ）又は第５速用ギヤ対２５（第５速用駆動ギヤ２５ａ、第２共用従動ギヤ２４ｂ）、カウンタ軸１４、ファイナルギヤ２６ａ、差動ギヤ機構８、駆動軸９，９を介して、駆動輪ＤＷ，ＤＷに連結される伝達経路である。
（５）第５伝達経路は、エンジン６のクランク軸６ａが、第２主軸１２、第２アイドルギヤ列２７Ｂ（アイドル駆動ギヤ２７ａ、第１アイドル従動ギヤ２７ｂ、第３アイドル従動ギヤ２７ｄ）、リバース軸１７、後進用ギヤ列２８（後進用駆動ギヤ２８ａ、後進用従動ギヤ２８ｂ）、遊星歯車機構３０、連結軸１３、第３速用ギヤ対２３（第３速用駆動ギヤ２３ａ、第１共用従動ギヤ２３ｂ）、カウンタ軸１４、ファイナルギヤ２６ａ、差動ギヤ機構８、駆動軸９，９を介して、駆動輪ＤＷ，ＤＷに連結される伝達経路である。
【００３６】
また、本実施形態の車両用駆動装置１において、モータ７は、その動作を制御するパワーコントロールユニット（以下、ＰＤＵという。）２を介してバッテリ３に接続され、バッテリ３からの電力供給と、バッテリ３へのエネルギー回生がＰＤＵ２を介して行われるようになっている。即ち、モータ７は、バッテリ３からＰＤＵ２を介して供給された電力によって駆動され、また、減速走行時における駆動輪ＤＷ，ＤＷの回転やエンジン６の動力により回生発電を行って、バッテリ３の充電（エネルギー回収）を行うことが可能である。さらに、ＰＤＵ２は、電気制御ユニット（以下、ＥＣＵという。）５に接続されている。ＥＣＵ５は、車両全体の各種制御をするための制御装置であり、ＥＣＵ５には加速要求、制動要求、エンジン回転数、モータ回転数、モータ温度、第１,第２主軸１１、１２の回転数、カウンタ軸１４等の回転数、車速、シフトポジション、ＳＯＣなどが入力される一方、ＥＣＵ５からは、エンジン６を制御する信号、モータ７を制御する信号、バッテリ３における発電状態・充電状態・放電状態などを示す信号、第１，第２変速シフター５１、５２、後進用シフター５３を制御する信号、シンクロ機構６１のロックを制御する信号などが出力される。
【００３７】
このように構成された車両用駆動装置１は、第１及び第２クラッチ４１、４２の断接を制御するとともに第１変速用シフター５１、第２変速用シフター５２および後進用シフター５３の接続位置を制御することにより、エンジン６で第１〜第５速走行および後進走行を行うことができる。また、走行中にモータ７でアシストしたり回生したり、さらにアイドリング中にエンジン６をモータ７で始動したりバッテリ３を充電することもできる。
【００３８】
また、車両用駆動装置１はモータ７を利用してＥＶ走行を行なうこともできる。  車両用駆動装置１は３つのＥＶ走行モードを備えている。なお、以下の説明において特に規定した場合を除いて、第１及び第２クラッチ４１、４２は切断されており、第１、第２及び後進用シフター５１〜５３はニュートラル位置にあり、シンクロ機構６１はリングギヤ３５の回転を許容するロックオフ状態（ＳＹＮ  ロックＯＦＦ）にあるものとする。以下、この状態を初期状態と呼ぶ。図２（ａ）の速度線図は、モータ７の停止位置を０、上方を正転方向、下方を逆転方向とし、サンギヤ３２を「Ｓ」、キャリア３６を「Ｃ」、リングギヤ３５を「Ｒ」でそれぞれ表している。このことは、後述する速度線図においても同様である。また、図２（ｂ）はトルクの伝達状況を示す図であり、ハッチング付の太い矢印はトルクの流れを表し、矢印中のハッチングはそれぞれの速度線図のトルクを示す矢印のハッチングと対応している。また、モータ７の正転方向とは駆動軸９，９を介して駆動輪ＤＷ，ＤＷに前進方向のトルクを伝達する方向をいい、逆転方向とは駆動軸９，９を介して駆動輪ＤＷ，ＤＷに後進方向のトルクを伝達する方向をいう。
【００３９】
１つ目のＥＶ走行は、初期状態からシンクロ機構６１をロック状態（ＳＹＮ  ロックＯＮ）にすることによりなされる１ｓｔ  ＥＶモードである。
この状態で、モータ７を駆動（正転方向にトルクを印加）すると、図２（ａ）に示すように、ロータ７２に連結された遊星歯車機構３０のサンギヤ３２が正転方向に回転する。このとき、図２（ｂ）に示すように、第１及び第２クラッチ４１、４２が切断されているため、サンギヤ３２に伝達された動力は第１主軸１１からエンジン６のクランク軸６ａに伝達されることはない。そして、シンクロ機構６１のロックがなされているため、サンギヤ３２に伝達されたモータトルクがキャリア３６に伝達され、遊星歯車機構３０を通る第４伝達経路を介して駆動輪ＤＷ，ＤＷに伝達される。このとき、リングギヤ３５がロックされているため、遊星歯車機構３０の特性によりサンギヤ３２は図２（ａ）に示す共線関係を維持しながらキャリア３６よりも高い回転数で回転する。即ち、モータトルクが遊星歯車機構３０で減速して伝達される。
【００４０】
２つ目のＥＶ走行は、初期状態から第１変速用シフター５１をニュートラル位置から第３速用接続位置でインギヤすることによりなされる３ｒｄ  ＥＶモードである。前述したように第１変速用シフター５１を第３速用接続位置にインギヤすることで、遊星歯車機構３０は一体となっている。
この状態で、モータ７を駆動（正転方向にトルクを印加）すると、図３（ａ）に示すように、ロータ７２に連結された遊星歯車機構３０は一体で正転方向に回転する。このとき、第１及び第２クラッチ４１、４２が切断されているため、サンギヤ３２に伝達された動力は第１主軸１１からエンジン６のクランク軸６ａに伝達されることはない。そして、モータトルクが第３速用ギヤ対２３を通る第４伝達経路を介して駆動輪ＤＷ，ＤＷに伝達される。
【００４１】
この３ｒｄ  ＥＶ走行モードで走行中に回生する場合、図４に示すように、モータ７にロータ７２の回転数を下げる方向、即ち、逆転方向に回生トルクを印加することで、車両に制動力を付加しつつモータ７で発電し、バッテリ３を充電することができる。
【００４２】
３つ目のＥＶ走行は、初期状態から第１変速用シフター５１をニュートラル位置から第５速用接続位置でインギヤすることによりなされる５ｔｈ  ＥＶモードである。
この状態で、モータ７を駆動（正転方向にトルクを印加）すると、図５（ａ）に示すように、ロータ７２に連結された遊星歯車機構３０のサンギヤ３２が正転方向に回転する。このとき、図５（ｂ）に示すように、第１及び第２クラッチ４１、４２が切断されているため、サンギヤ３２に伝達された動力は第１主軸１１からエンジン６のクランク軸６ａに伝達されることはない。そして、モータトルクが第５速用ギヤ対２５を通る第４伝達経路を介して駆動輪ＤＷ，ＤＷに伝達される。このとき、サンギヤ３２はモータ７の回転数で回転し、キャリア３６は第３速用ギヤ対２３を介してカウンタ軸１４と連結して回転するため、サンギヤ３２とキャリア３６には所定の差回転が生じ、遊星歯車機構３０の特性によりリングギヤ３５は図５（ａ）に示す共線関係を維持しながらキャリア３６よりも高い回転数で回転する。
【００４３】
この５ｔｈ  ＥＶ走行モードで走行中に回生する場合、図６に示すように、モータ７にロータ７２の回転数を下げる方向、即ち、逆転方向に回生トルクを印加することで、車両に制動力を付加しつつモータ７で発電し、バッテリ３を充電することができる。
【００４４】
続いてＥＶ走行時における回生制御について説明する。
図７に示すように、５ｔｈ  ＥＶモードの回生可能領域は低トルク高回転領域に位置し、３ｒｄ  ＥＶモードにおける回生可能領域は高トルク低回転領域に位置し、１ｓｔ  ＥＶモードにおける回生可能領域はさらに高トルク低回転領域に位置する。従って、車両が上述した５ｔｈ  ＥＶモードで高速走行した状態から停車するとき、５ｔｈ  ＥＶモードでは車両が所定速度まで減速した後には、モータ７により回生発電することができず、回生エネルギーを有効に利用してモータ７で回生発電することができない状態となる。
【００４５】
そこで、５ｔｈ  ＥＶモードにおける回生可能領域から外れる領域については、後述する機械式ブレーキ１０５による制動力で車両を減速することが考えられるが、この場合制動エネルギーを有効に利用することができないばかりか、再加速時には５ｔｈ  ＥＶモードでの加速となるため必要な駆動トルクが得られずもたつきが生じることとなる。一方で、車速に応じて、５ｔｈ  ＥＶモードから３ｒｄ  ＥＶモード、１ｓｔ  ＥＶモードへとシフトダウンすることが考えられる。この車両用駆動装置１における５ｔｈ  ＥＶモードから３ｒｄ  ＥＶモードへのシフトダウンは、第１変速用シフター５１を第５速用接続位置でインギヤした状態から第３速用接続位置でインギヤする間にモータ７のゼロトルク制御を行なう必要があり、さらに３ｒｄ  ＥＶモードから１ｓｔ  ＥＶモードへとシフトダウンは、第１変速用シフター５１を第３速用接続位置でインギヤした状態からニュートラル位置に移すとともにシンクロ機構６１をロックＯＦＦ状態からロックＯＮ状態にする間にモータ７のゼロトルク制御を行なう必要がある。しかしながら、このシフトダウンによれば、図８に示すように、モータ７のゼロトルク制御中は車両の制動力を確保することができないという問題がある。
【００４６】
そこで、本実施形態の車両用駆動装置１においては、５ｔｈ  ＥＶモードから３ｒｄ  ＥＶモードへとシフトダウンする際、一度エンジン６を始動して第１変速用シフター５１を第５速用接続位置でインギヤした状態から第３速用接続位置でインギヤする間の制動力をエンジンブレーキで確保している。
【００４７】
図９及び図１０を参照しながらこの変速制御を具体的に説明すると、５ｔｈ  ＥＶモードでＥＶ走行中に、不図示のアクセルペダルがＯＦＦになった状態で５ｔｈ  ＥＶモードで回生を行なう（Ｓ０１）。そして、車速がＶａまで下がったときに回生しながら第１クラッチ４１を締結してエンジン６を始動する（Ｓ０２）。エンジン６を始動した後、第１クラッチ４１を切断するとともに第２変速用シフター５２をニュートラル位置から第４速用接続位置でインギヤする（Ｓ０３）。なお、この状態では第１及び第２クラッチ４１、４２が切断しているためエンジン６は切り離されている。そして、制動力を維持するように回生量を減少させながら第２クラッチ４２を除々に締結しエンジンブレーキを作用させる（Ｓ０４）。図１１（ａ）は、この第１クラッチ４１が切断され第２クラッチ４２が接続されるとともに、第１変速用シフター５１が第５速用接続位置でインギヤしまま第２変速用シフター５２が第４速用接続位置でインギヤした状態で、エンジンブレーキを作用させている状態を示している。そして、第２クラッチ４２が完全に締結した後、第１変速用シフター５１を第５速用接続位置でインギヤした状態から第３速用接続位置でインギヤ（プレシフト）することによりシフトダウンする（Ｓ０５）。図１１（ｂ）は、図１１（ａ）の状態から第１変速用シフター５１を第５速用接続位置から第３速用接続位置でインギヤした状態を示している。続いて、制動力を維持するように３ｒｄ  ＥＶモードで回生量を増大させながら締結していた第２クラッチ４２を除々に切断する（Ｓ０６）。そして、第２クラッチ４２が完全に切断した後、エンジン６を停止し３ｒｄ  ＥＶモードで回生を続ける（Ｓ０７）。さらに車速がＶｂまで下がったときに、除々にモータ７の回生トルクを抜いてゼロトルク制御を行なう（Ｓ０８）。なお、車速Ｖｆは３ｒｄ  ＥＶモードで回生が取りきれない車速であり、車速Ｖｆ以降の制動については、１ｓｔ  ＥＶモードにシフトダウンしても回生ではとりきれないため運転者の意思により必要に応じて後述する機械式ブレーキ１０５による制動力で車両を停止させる。この間、第１変速用シフター５１を第３速用接続位置でインギヤした状態からニュートラル位置に移すとともにシンクロ機構６１をロックＯＦＦ状態からロックＯＮ状態にすることにより、再加速に備え１ｓｔ  ＥＶモードへとシフトダウンする。
【００４８】
続いて、本実施形態の車両用駆動装置１に用いられるブレーキシステムの一例について図１２を参照して説明する。
このブレーキシステム１００は、図１２（ａ）に示すように、ブレーキペダル１０１と、ブレーキペダル１０１の踏み込みを検出するブレーキスイッチ１０３と、ブレーキペダル１０１から入力されるブレーキ操作量に応じて制動用の油圧を作用せしめるタンデム型のマスタシリンダ１０４と、機械式ブレーキ１０５と、マスタシリンダ１０４の油圧を機械式ブレーキ１０５に供給するブレーキ系統１０６と、を備えて構成される。機械式ブレーキ１０５はディスクブレーキやドラムブレーキ等の油圧により制御される公知の機械式ブレーキから構成され、ブレーキ系統１０６にはＡＢＳ機構１０７が設けられブレーキにより各車輪がロックするのを防止している。
【００４９】
このブレーキシステム１００において、エンジン走行中の車両を停止させる場合、図１２（ｂ）および（ｃ）に示すように、乗員がアクセルペダル（不図示）を離した時点でエンジンフリクションによるエンジンブレーキと、所定量のブレーキＯＦＦ回生がモータ７でなされ制動力が発生する。そして、乗員がブレーキペダル１０１を踏み込むと、ブレーキスイッチ１０３が踏み込みを検出し、予め定められた所定量のブレーキＯＮ回生がモータ７でなされ制動力が発生するとともに、踏み込み量に応じた制動用の油圧が機械式ブレーキ１０５に供給され機械式ブレーキ１０５が作動する。そして、車両が所定速度Ｖｃになるとモータ７の回生トルクが除々に抜かれ、さらに減速して所定速度Ｖｄになると第１及び第２クラッチ４１、４２（発進クラッチ）が切断される。最後は、機械式ブレーキ１０５による摩擦ブレーキにより車両が停止する。
【００５０】
次に、本実施形態の車両用駆動装置１に用いられるブレーキシステムの他の例について図１３を参照して説明する。
このブレーキシステム１００Ａは、図１３（ａ）に示すように、ブレーキペダル１０１と、ブレーキペダル１０１の踏み込みを検出するブレーキスイッチ１０３と、ブレーキペダル１０１から入力されるブレーキ操作量に応じて制動用の油圧を作用せしめるタンデム型のマスタシリンダ１０４と、マスタシリンダ１０４の油圧を検出するマスタシリンダ圧センサ１０８と、機械式ブレーキ１０５と、マスタシリンダ１０４の油圧を機械式ブレーキ１０５に供給するブレーキ系統１０６と、を備えて構成される。上述したブレーキシステム１と同様に、機械式ブレーキ１０５はディスクブレーキやドラムブレーキ等の油圧により制御される公知の機械式ブレーキから構成され、ブレーキ系統１０６にはＡＢＳ機構１０７が設けられブレーキによる各車輪のロックを防止している。
【００５１】
このブレーキシステム１００Ａにおいて、エンジン走行中の車両を停止させる場合、図１３（ｂ）および（ｃ）に示すように、乗員がアクセルペダル（不図示）を離した時点でエンジンフリクションによるエンジンブレーキと、所定量のブレーキＯＦＦ回生がモータ７でなされ制動力が発生し車速が下がる点は上述したブレーキシステム１００と同じである。しかし、本ブレーキシステム１００Ａは、ブレーキスイッチ１０３がブレーキペダル１０１の踏み込みを検出すると、マスタシリンダ圧センサ１０８の検出したマスタシリンダ圧に応じて予め定められた回生量が上乗せされた所定量のブレーキＯＮ回生がモータ７でなされるとともに、踏み込み量に応じた制動用の油圧が機械式ブレーキ１０５に供給され機械式ブレーキ１０５が作動する。そして、車両が所定速度Ｖｃになるとモータ７の回生トルクが除々に抜かれ、さらに減速して所定速度Ｖｄになると第１及び第２クラッチ４１、４２が切断される。最後は、機械式ブレーキ１０５による摩擦ブレーキより車両が停止する。
【００５２】
なお、本ブレーキシステム１００Ａでは、マスタシリンダ圧センサ１０８の検出したマスタシリンダ圧に応じて予め定められた回生量が上乗せされた所定量のブレーキＯＮ回生がモータ７でなされたが、これに限らずマスタシリンダ圧センサ１０８の代わりにストロークセンサを用いてストロークセンサの検出したストロークに応じて予め定められた回生量を上乗せしてもよい。
【００５３】
以上説明した本実施形態の車両用駆動装置１によれば、第５速用駆動ギヤ２５ａを選択して５ｔｈ  ＥＶモードで走行中に車両を減速する場合に、モータ７で回生しつつ第１変速用シフター５１で第５速用駆動ギヤ２５ａから第３速用駆動ギヤ２３ａにシフトダウンする間、即ち、モータ７で回生しつつ５ｔｈ  ＥＶモードから３ｒｄ  ＥＶモードへシフトダウンする間、エンジン６を始動して第２変速用シフター５２で第４速用駆動ギヤ２４ａを選択した状態で第２クラッチ４２を締結することにより、エンジンブレーキを利用してシフトダウン時の制動力を確保することができる。従って、従来、機械式ブレーキの制動力により熱エネルギーとして放出していたエネルギーを回生エネルギーとして効率的に利用することができる。また、車速に応じて減速するので、車両の再加速時にスムーズな加速を行うことができる。
【００５４】
また、第３速用駆動ギヤ２３ａで回生した後、回生がとりきれなくなったときに３ｒｄ  ＥＶモードから１ｓｔ  ＥＶモードにシフトダウンして待機することにより再加速時にスムーズな加速を行うことができる。
【００５５】
＜第２実施形態＞
次に第２実施形態の車両用駆動装置について図１４を参照して説明する。車両用駆動装置１Ａは、変速機２０Ａにおいて遊星歯車機構３０と、第２〜第５速用ギヤ対２２〜２５に加えて、第６速用ギヤ対９６と第７速用ギヤ対９７を備えている点で車両用駆動装置１と相違している。以下、この車両用駆動装置１Ａについて、上述した車両用駆動装置１との相違点のみを説明する。
【００５６】
第１主軸１１には、第３速用駆動ギヤ２３ａと第５速用駆動ギヤ２５ａとの間に第１主軸１１と相対回転自在に第７速用駆動ギヤ９７ａが設けられている。また、第３速用駆動ギヤ２３ａと第７速用駆動ギヤ９７ａとの間に、第１主軸１１と第３速用駆動ギヤ２３ａ又は第７速用駆動ギヤ９７ａとを連結又は開放する第１変速用シフター５１Ａが設けられ、第７速用駆動ギヤ９７ａと第５速用駆動ギヤ２５ａとの間に、第１主軸１１と第５速用駆動ギヤ２５ａとを連結又は開放する第３変速用シフター５１Ｂが設けられている。そして、第１変速用シフター５１Ａが第３速用接続位置でインギヤするときには、第１主軸１１と第３速用駆動ギヤ２３ａが連結して一体に回転し、第７速用接続位置でインギヤするときには、第１主軸１１と第７速用駆動ギヤ９７ａが一体に回転し、第１変速用シフター５１Ａがニュートラル位置にあるときには、第１主軸１１は第３速用駆動ギヤ２３ａと第７速用駆動ギヤ９７ａに対し相対回転する。また、第３変速用シフター５１Ｂが第５速用接続位置でインギヤするときには、第１主軸１１と第５速用駆動ギヤ２５ａが連結して一体に回転し、第３変速用シフター５１Ｂがニュートラル位置にあるときには、第１主軸１１は第５速用駆動ギヤ２５ａに対し相対回転する。
【００５７】
第２中間軸１６には、第２速用駆動ギヤ２２ａと第４速用駆動ギヤ２４ａとの間に第２中間軸１６と相対回転自在に第６速用駆動ギヤ９６ａが設けられている。また、第２速用駆動ギヤ２２ａと第６速用駆動ギヤ９６ａとの間に、第２中間軸１６と第２速用駆動ギヤ２２ａ又は第６速用駆動ギヤ９６ａとを連結又は開放する第２変速用シフター５２Ａが設けられ、第６速用駆動ギヤ９６ａと第４速用駆動ギヤ２４ａとの間に、第２中間軸１６と第４速用駆動ギヤ２４ａとを連結又は開放する第４変速用シフター５２Ｂが設けられている。そして、第２変速用シフター５２Ａが第２速用接続位置でインギヤするときには、第２中間軸１６と第２速用駆動ギヤ２２ａが連結して一体に回転し、第６速用接続位置でインギヤするときには、第２中間軸１６と第６速用駆動ギヤ９６ａが一体に回転し、第２変速用シフター５２Ａがニュートラル位置にあるときには、第２中間軸１６は第２速用駆動ギヤ２２ａと第６速用駆動ギヤ９６ａに対し相対回転する。また、第４変速用シフター５２Ｂが第４速用接続位置でインギヤするときには、第２中間軸１６と第４速用駆動ギヤ２４ａが連結して一体に回転し、第４変速用シフター５２Ｂがニュートラル位置にあるときには、第２中間軸１６は第４速用駆動ギヤ２４ａに対し相対回転する。
【００５８】
カウンタ軸１４には、第１共用従動ギヤ２３ｂと第２共用従動ギヤ２４ｂとの間に、第３共用従動ギヤ９６ｂがカウンタ軸１４に一体に取り付けられている。
ここで、第３共用従動ギヤ９６ｂは、第１主軸１１に設けられた第７速用駆動ギヤ９７ａと噛合して第７速用駆動ギヤ９７ａと共に第７速用ギヤ対９７を構成し、第２中間軸１６に設けられた第６速用駆動ギヤ９６ａと噛合して第６速用駆動ギヤ９６ａと共に第６速用ギヤ対２６を構成する。
【００５９】
そして、第２変速用シフター５２Ａが第６速用接続位置でインギヤした状態で第２クラッチ４２を締結することで第６速走行を行うことができ、また、第１変速用シフター５１Ａが第７速用接続位置でインギヤした状態で第１クラッチ４１を締結することで第７速走行を行うことができ、それぞれモータ７でアシスト又は充電することができる。
【００６０】
このように構成された車両用駆動装置１Ａにおいては、１ｓｔ  ＥＶモード、３ｒｄ  ＥＶモード、５ｔｈ  ＥＶモードに加えて、７ｔｈ  ＥＶモードでＥＶ走行することができる。
具体的には、７ｔｈ  ＥＶモードは、初期状態から第１変速用シフター５１Ａをニュートラル位置から第７速用接続位置でインギヤすることによりなされる。
この状態で、モータ７を駆動（正転方向にトルクを印加）すると、ロータ７２に連結された遊星歯車機構３０のサンギヤ３２が正転方向に回転する。このとき第１及び第２クラッチ４１、４２が切断されているため、サンギヤ３２に伝達された動力は第１主軸１１からエンジン６のクランク軸６ａに伝達されることはなく、モータトルクが第７速用ギヤ対２７を通って駆動輪ＤＷ，ＤＷに伝達される。
【００６１】
この７ｔｈ  ＥＶモードで走行中に減速する場合、上述した５ｔｈ  ＥＶモードから３ｒｄ  ＥＶモードへとシフトダウンと同様に、７ｔｈ  ＥＶモードから５ｔｈ  ＥＶモードへのシフトダウン時の制動力をエンジンブレーキで確保する。
【００６２】
即ち、７ｔｈ  ＥＶモードでＥＶ走行中に不図示のアクセルペダルがＯＦＦになった状態で７ｔｈ  ＥＶモードで回生を行なう。そして、車速が所定値まで下がったときに回生しながら第１クラッチ４１を締結してエンジン６を始動する。エンジン６を始動した後、第１クラッチ４１を切断するとともに第２変速用シフター５２Ａをニュートラル位置から第６速用接続位置でインギヤする。そして、第２クラッチ４２を除々に締結しエンジンブレーキを作用させる。そして、第２クラッチ４２が完全に締結した後、第１変速用シフター５１Ａを第７速用接続位置からニュートラル位置に戻すとともに第３変速用シフター５１Ｂをニュートラル位置から第５速用接続位置でインギヤすることによりシフトダウンを行なう。続いて、５ｔｈ  ＥＶモードで回生するとともに締結していた第２クラッチ４２を除々に切断する。そして、第２クラッチ４２が完全に切断した後、エンジン６を停止する。さらに車速が所定値まで下がったときに、５ｔｈ  ＥＶモードから３ｒｄ  ＥＶモードへとシフトダウンがなされる。
【００６３】
以上説明したように、本実施形態の車両用駆動装置１Ａによれば、第７速用駆動ギヤ９７ａを選択して７ｔｈ  ＥＶモードで走行中に車両を減速する場合に、モータ７で回生しつつ第１変速用シフター５１Ａと第３変速用シフター５１Ｂで第７速用駆動ギヤ９７ａから第５速用駆動ギヤ２５ａにシフトダウンする間、即ち、モータ７で回生しつつ７ｔｈ  ＥＶモードから５ｔｈ  ＥＶモードへシフトダウンする間、エンジン６を始動して第２変速用シフター５２Ａで第６速用駆動ギヤ９６ａを選択した状態で第２クラッチ４２を締結することにより、エンジンブレーキを利用してシフトダウン時の制動力を確保することができる。
また、さらに車両の減速に伴ってモータ７で回生しつつ５ｔｈ  ＥＶモードから３ｒｄ  ＥＶモードへシフトダウンする間、エンジン６を始動して第４変速用シフター５２Ｂで第４速用駆動ギヤ２４ａを選択した状態で第２クラッチ４２を締結することにより、エンジンブレーキを利用してシフトダウン時の制動力を確保することができる。
従って、本実施形態の車両用駆動装置１Ａにおいても、従来、機械式ブレーキの制動力により熱エネルギーとして放出していたエネルギーを回生エネルギーとして効率的に利用することができる。
【００６４】
尚、本発明は、前述した各実施形態に限定されるものではなく、適宜、変形、改良、等が可能である。
【符号の説明】
【００６５】
１、１Ａ    車両用駆動装置
６    エンジン（内燃機関）
６ａ    クランク軸（内燃機関出力軸）
７    モータ（電動機）
９    駆動軸
１１    第１主軸（第１入力軸）
１２    第２主軸
１３    連結軸
１４    カウンタ軸（出入力軸）
１５    第１中間軸
１６    第２中間軸（第２入力軸）
２０、２０Ａ    変速機
２２    第２速用ギヤ対
２２ａ    第２速用駆動ギヤ
２３    第３速用ギヤ対
２３ａ    第３速用駆動ギヤ
２３ｂ    第１共用従動ギヤ
２４    第４速用ギヤ対
２４ａ    第４速用駆動ギヤ
２４ｂ    第２共用従動ギヤ
２５    第５速用ギヤ対
２５ａ    第５速用駆動ギヤ
２６ａ    ファイナルギヤ
２７Ａ    第１アイドルギヤ列
２７Ｂ    第２アイドルギヤ列
２７ａ    アイドル駆動ギヤ
２７ｂ    第１アイドル従動ギヤ
２７ｃ    第２アイドル従動ギヤ
２７ｄ    第３アイドル従動ギヤ
３０    遊星歯車機構
３２    サンギヤ（第１要素）
３５    リングギヤ（第３要素）
３６    キャリア（第２要素）
４１    第１クラッチ（第１断接手段）
４２    第２クラッチ（第２断接手段）
５１，５１Ａ    第１変速用シフター
５１Ｂ  第３変速用シフター
５２，５２Ａ    第２変速用シフター
５２Ｂ  第４変速用シフター
５３    後進用シフター
６１    シンクロ機構（ロック機構）
９６    第６速用ギヤ対
９６ａ  第６速用駆動ギヤ
９６ｂ  第３共用従動ギヤ
９７    第７速用ギヤ対
９７ａ  第７速用駆動ギヤ
【図１】
0005414444.tif 000002
【図２】
0005414444.tif 000003
【図３】
0005414444.tif 000004
【図４】
0005414444.tif 000005
【図５】
0005414444.tif 000006
【図６】
0005414444.tif 000007
【図７】
0005414444.tif 000008
【図８】
0005414444.tif 000009
【図９】
0005414444.tif 000010
【図１０】
0005414444.tif 000011
【図１１】
0005414444.tif 000012
【図１２】
0005414444.tif 000013
【図１３】
0005414444.tif 000014
【図１４】
0005414444.tif 000015
【図１５】
0005414444.tif 000016